(57)【要約】【課題】  カラーフィルターと視差バリアとの光学距離を安定させると共に、従来よりも広い視野角を有するマルチプル視野型の表示装置を提供する。【解決手段】  マルチプル視野型の表示装置は、所定パターンの遮光層である視差バリア７が形成されている対向基板２２と、視差バリア７に対向するように配置されているＴＦＴアレイ基板２３と、対向基板２２とＴＦＴアレイ基板２３との間に液晶層１２とを備えている。対向基板２２におけるＴＦＴアレイ基板２３との対向面側に、視差バリア７を覆うように透明膜２６が設けられていると共に、ＴＦＴアレイ基板２３における対向基板２２との対向面側にカラーフィルター９が設けられている。【選択図】  図２
2007052041.tif 000002
【特許請求の範囲】
【請求項１】
視差バリアが形成されている第一基板と、
上記視差バリアに対向するように配置されている第二基板と、
上記第一基板と上記第二基板との間に設けられた表示層とを備え、
上記視差バリアにより特定の方向に進む光のみを透過させ、同一の表示装置で異なる方向に対し異なる画像を提供し得るマルチプル視野型の表示装置において、
上記第一基板における第二基板との対向面側に、視差バリアを覆うように透明膜が設けられていると共に、上記第二基板における第一基板との対向面側にカラーフィルターが設けられていることを特徴とするマルチプル視野型の表示装置。
【請求項２】
前記カラーフィルターと前記視差バリアとの光学距離が、前記透明膜の膜厚によって設定されていることを特徴とする請求項１記載のマルチプル視野型の表示装置。
【請求項３】
前記透明膜は高分子樹脂膜からなっていることを特徴とする請求項１又は２記載のマルチプル視野型の表示装置。
【請求項４】
前記透明膜は導電性金属膜からなっていることを特徴とする請求項１又は２記載のマルチプル視野型の表示装置。
【請求項５】
共通対向電極が前記透明膜よりも前記第二基板に近い側に設けられていることを特徴とする請求項１〜４の何れか１項に記載のマルチプル視野型の表示装置。
【発明の詳細な説明】
【技術分野】
【０００１】
本発明は、複数の表示方向に対してそれぞれ異なる画像を表示可能なマルチプル視野型の表示装置に関するものである。
【背景技術】
【０００２】
これまで長年にわたり、従来の表示装置は、複数のユーザ（観察者）によって同時に同じ画像が観察されるように設計されてきた。すなわち、表示装置の表示特性は、観察者が表示装置に対して異なる角度から同程度に良好な画質の同じ画像を見ることができるように設計されてきた。しかしながら、個々のユーザが異なる情報を同じ表示装置から見ることができることが望ましい用途も多い。
【０００３】
例えば、自動車において、運転者は衛星ナビゲーションデータを見ることを望み、助手席に座る同乗者は映画を見ることを望む場合がある。この場合、２つの表示装置を設置することにより解決することが可能であるが、運転手は衛星ナビゲーションデータだけでなく、同乗者が見る表示装置に表示される映画を見てしまう可能性がある。これにより、運転者の意識が注意散漫になるおそれがある。また、車内に２つの表示装置を設けることは、余分なスペースを必要とすると共に、コストを増大させることになる。
【０００４】
他の例として、複数のプレーヤー用のコンピュータゲームにおいて、各プレーヤーは、自身の視点からゲームの画面を見ることを望む場合がある。この場合、各プレーヤーは個別に表示装置を用いることにより、ゲームの画面を独自の視野で見ることができる。しかしながら、大きなスペースを必要とすることになり、携帯用ゲームにおいては非実用的である。
【０００５】
上記の例において、複数の観察者がそれぞれ異なる画像を１つの表示装置から観察することが可能であれば、かなりのスペースおよびコストを節約することができる。
【０００６】
例えば、各乗客に個別にビデオ画面を提供する飛行機において、個別に映画を選択することができるようにしたまま、１つの中央画面を２人以上の乗客に対して提供することが可能であれば、かなりのコスト、スペースおよび重量の節約となる。
【０００７】
さらに、ユーザが互いの画面（視野）を見ることを防止することが可能となる。これにより、上記のコンピュータゲームの例だけでなく、現金自動預入支払機（ＡＴＭ）を利用した銀行取引（バンキング）または販売取引などのセキュリティを必要とする用途においても効果的となる。
【０００８】
一方、通常の視覚において、人間の両眼は互いに離れているため、脳内では異なる視点によって外界の視野を認知している。すなわち、これらの２つの視点を用いて、脳は、情景における様々な物体への距離を判断している。
【０００９】
ここで、特許文献１では、複数の観察者が単一の表示装置から異なる情報を見ることができるマルチプル視野ディスプレイが提案されている。上記特許文献１では、ＴＦＴ基板のピクセル構造とカウンター基板の視差バリアアパーチャアレイのピッチとを規則的に変化させ、異なる表示位置において、少なくとも２つの独立したイメージを提供するような構成の表示装置が提示されている。
【００１０】
特許文献１に記載のマルチプル視野ディスプレイの構造および表示原理について図１１を参照しながら説明する。図１１に示すように、上記マルチプル視野ディスプレイは、液晶デバイス（ＬＣＤ：liquid crystal device）と視差バリアとを備えている。
【００１１】
液晶デバイスは空間光変調器（ＳＬＭ）としての機能を有するものである。液晶デバイスはアクティブマトリクス薄膜トランジスタ基板（以下、ＴＦＴ基板という）１０１およびカウンター基板１０２を備えている。さらに、ＴＦＴ基板１０１とカウンター基板１０２との間には、図示しない電極、アラインメント層、および液晶層が配置されている。なお、ここでは液晶層のカウンター基板１０２側の表面をＬＣＤピクセル面１０３という。また、視角向上膜１０４および偏光子１０５が、ＴＦＴ基板１０１およびカウンター基板１０２の外面上に設けられている。照明１０６はバックライト（図示せず）から液晶デバイスに供給される。
【００１２】
視差バリアは、視差バリア基板１０７と視差バリアアパーチャアレイ１０８とを備えている。視差バリアアパーチャアレイ１０８は視差バリア基板１０７における液晶デバイスに隣接する表面上に形成されている。反射防止（ＡＲ）コーティング１０９は視差バリア基板１０７における他方の表面上に形成されている。
【００１３】
液晶デバイスのピクセルは、行方向（図１１において紙面に垂直な方向）または水平方向のピクセルピッチがｐである複数行および複数列として構成される。視差バリアアパーチャアレイ１０８には透過スリットが設けられている。該透過スリットはスリット幅が２ｗであり、かつ、透過スリット同士の水平ピッチがｂである。また、視差バリアアパーチャアレイ１０８とＬＣＤピクセル面１０３との距離はｓである。
【００１４】
ディスプレイの使用時には、ディスプレイから所望の表示距離にあるウィンドウ面において左表示ウィンドウ１１０および右表示ウィンドウ１１１が形成される。ウィンドウ面は、視差バリアアパーチャアレイ１０８から距離γ０だけ離れている。左表示ウィンドウ１１０および右表示ウィンドウ１１１は、ウィンドウ面において隣接し、人間の両眼の平均的な間隔に相当する幅すなわちピッチｅを有している。また、ディスプレイの垂線と左表示ウィンドウ１１０および右表示ウィンドウ１１１の中心との各角度（半角）すなわち視野角（表示角）はαで示される。
【００１５】
ここで、視差バリアアパーチャアレイ１０８の機能は、画素を透過する光の出射角を制御することにある。すなわち、各画素列の視野角αを、視差バリアアパーチャアレイ１０８の透過スリットで制御する。各画素の視野角αは、カウンター基板１０２の屈折率ｎ、ピクセルピッチｐ、およびＬＣＤピクセル面１０３と視差バリアアパーチャアレイ１０８の面との間隔ｓによって、以下の式（１）により決定される。
【００１６】
ｓｉｎα＝ｎ・ｓｉｎ（ａｒｃｔａｎ（ｐ／２ｓ））・・・（１）
通常、例えば、２つの異なる画像を同じ表示装置で見る場合、比較的大きな視野角、例えば、６０度程度が必要とされる。
【００１７】
そこで、表示ウィンドウの間の角度、すなわち視野角を広くするためには、上記式（１）より、ピクセルピッチｐを広くするか、ＬＣＤピクセル面１０３と視差バリアアパーチャアレイ１０８の面との間隔ｓを狭くするか、またはカウンター基板１０２のガラスの屈折率ｎを増大させればよいことがわかる。
【００１８】
しかしながら、ピクセルピッチは所望の表示パネルの解像度の仕様によって設計されるため、容易に変更することはできない。また、ピクセルピッチを広くすることができたとしても、従来の構成では視差バリアのピッチを広くする必要が生じる。視差バリアのピッチが広くなると、視差バリアによって遮蔽されていた画像が見えやすくなり、複数の画像が表示されるビューポイントにおける最終的に得られる画像の品質が低下することになる。
【００１９】
一方、間隔ｓを狭くするためには、カウンター基板１０２の厚さを薄くすることが考えられる。しかしながら、(1) 薄型化されたカウンター基板にカラーフィルターを形成することは困難である。また、薄型化されたカウンター基板とＴＦＴ基板とを張り合わせることは困難である。(2) カウンター基板とＴＦＴ基板とを貼り合わせた状態で薄型加工を行なうことで、外部からの応力により内部のセルギャップやＴＦＴがダメージを受け、パネルが設計通りに機能しなくなるおそれがある。さらに、(1) ，(2) 共通の問題点として薄型ガラスを用いた液晶注入、封止作業が通常よりも困難である、なによりもマルチプル視野型の光学的な条件を満たすためにミクロンオーダーで均一なガラス厚を持つように薄型加工する必要性がある。したがって、高度な技術が必要となり製造上の問題が生じる。
【００２０】
さらに、カウンター基板１０２を構成するガラスは、カウンター基板として使用に耐えうる強度を有している必要があり、使用できるガラスは制限され、その結果、屈折率ｎが制限されてしまう。
【００２１】
そこで、特許文献２では、視野角を広くするため、液晶デバイス内に視差バリアが設けられているマルチプルビュー方向性ディスプレイが提案されている。具体的には、先ずは、図１２（ａ）に示すように、カラーフィルター基板２０１は、ガラス等からなるベース基板２０２、不透明ストリップ２０９及び不透明ストリップ２０９間の透過スリット２１０を規定することによって形成される視差バリアアパーチャアレイ２０３、光透過樹脂からなるスペーサー層２０５、およびカラーフィルター２０４を備えている。ベース基板２０２上に、視差バリアアパーチャアレイ２０３、スペーサー層２０５、およびカラーフィルター２０４が、この順で積層されている。マルチプルビュー方向性ディスプレイ２０７は、図１２（ｂ）に示すように、上記カラーフィルター基板２０１とＴＦＴ基板２０６とが対向配置され、カラーフィルター基板２０１とＴＦＴ基板２０６との間に、液晶層２０８および視差バリアアパーチャアレイ２０３等が配置されている構成となっている。これにより、間隔ｓを小さくすることができるため、視野角を広くすることができる。
【特許文献１】特開２００４−２０６０８９号公報（公開日：２００４年７月２２日）
【特許文献２】特開２００５−７８０９４号広報（公開日：２００５年３月２４日）
【発明の開示】
【発明が解決しようとする課題】
【００２２】
しかしながら、上記従来の構成では、以下の問題点を有している。
【００２３】
すなわち、特許文献２に記載のマルチプルビュー方向性ディスプレイ２０７では、スペーサー層２０５上にカラーフィルター２０４を設ける場合、スペーサー層２０５に熱収縮が生じて、スペーサー層２０５に膜厚ムラが生じることがある。これにより、所望の間隔ｓを得ることができず、所望の視野角を得ることができないという問題を生じる。
【００２４】
また、上述のとおり、ピクセルピッチを広くすることができたとしても、従来の構成では視差バリアのピッチを広くする必要が生じるため、視差バリアによって遮蔽されていた画像が見えやすくなり、複数の画像が表示されるビューポイントにおける最終的に得られる画像の品質が低下することになる。さらに、間隔ｓを狭くするために、カウンター基板１０２の厚さを薄くすることは、高度な技術を必要とすることにより製造上の問題が生じる。また、カウンター基板１０２を構成するガラスの屈折率ｎを変更することは装置の構成上困難である。
【００２５】
したがって、上記従来の構成では、標準的な視差バリアを用いて、広い視野角（表示角）を有するマルチプル視野型表示装置を作製することは困難である。
【００２６】
本発明は、上記の問題点に鑑みてなされたものであり、その目的は、カラーフィルターと視差バリアとの光学距離を安定させると共に、従来よりも広い視野角を有するマルチプル視野型の表示装置を提供することにある。
【課題を解決するための手段】
【００２７】
本発明のマルチプル視野型の表示装置は、上記課題を解決するために、視差バリアが形成されている第一基板と、上記視差バリアに対向するように配置されている第二基板と、上記第一基板と上記第二基板との間に設けられた表示層とを備え、上記視差バリアにより特定の方向に進む光のみを透過させ、同一の表示装置で異なる方向に対し異なる画像を提供し得るマルチプル視野型の表示装置において、上記第一基板における第二基板との対向面側に、視差バリアを覆うように透明膜が設けられていると共に、上記第二基板における第一基板との対向面側にカラーフィルターが設けられていることを特徴としている。
【００２８】
上記の構成によれば、カラーフィルターと透明膜とは異なる基板上に設けられている。また、透明膜とカラーフィルターとの間に例えば液晶層からなる表示層が配置されている。これにより、透明膜とカラーフィルターとが隣り合うことはなく、カラーフィルターの形成時に、高温の熱処理、例えば焼成を施しても、透明膜に熱収縮が起こることがない。したがって、透明膜に膜厚ムラが生じることを防止することができる。また、膜厚ムラを防止することができるので、透明膜を所望の厚さに調整することが容易になり、透明膜の膜厚によってカラーフィルターと視差バリアとの光学距離を調整することができる。その結果、複数の画像が表示されるビューポイントにおける最終的に得られる画像の品質が低下することを防止することができる。
【００２９】
さらに、第一基板と第二基板との間に視差バリアおよびカラーフィルターが配置されているので、カラーフィルターと視差バリアとの光学距離を小さくすることができる。
【００３０】
ここで、視野角αは、第一基板の屈折率ｎ、画素のピクセルピッチｐ、およびカラーフィルターと視差バリアとの光学距離ｓによって、以下の式（１）により決定される。
【００３１】
ｓｉｎα＝ｎ・ｓｉｎ（ａｒｃｔａｎ（ｐ／２ｓ））・・・（１）
すなわち、本発明の構成によれば、カラーフィルターと視差バリアとの光学距離ｓを小さくすることができるので、視野角を増大させることができる。
【００３２】
その結果、カラーフィルターと視差バリアとの光学距離を安定させると共に、従来よりも広い視野角を有するマルチプル視野型の表示装置を提供することができる。
【００３３】
本発明のマルチプル視野型の表示装置では、前記カラーフィルターと前記視差バリアとの光学距離が、前記透明膜の膜厚によって設定されていることが好ましい。
【００３４】
上記の構成によれば、透明膜の膜厚によってカラーフィルターと視差バリアとの光学距離を調整することができるので、視野角を所望の角度に調整することができる。
【００３５】
本発明のマルチプル視野型の表示装置では、前記透明膜は高分子樹脂膜からなっていることが好ましい。
【００３６】
上記の構成によれば、透明膜の厚さを均一にしやすく、かつ該厚さを所望の厚さに形成しやすい。したがって、カラーフィルターと視差バリアとの光学距離を調整しやすくなる。
【００３７】
本発明のマルチプル視野型の表示装置では、前記透明膜は導電性金属膜からなっていることが好ましい。
【００３８】
上記の構成によれば、透明膜から例えば液晶層からなる表示層に直接電圧を印加することができる。したがって、別途、表示層に電圧を印加するための共通対向電極を設ける必要がなく、構造をシンプルなものとすることができると共に、製造工程が複雑なものとなることを防止することができる。
【００３９】
本発明のマルチプル視野型の表示装置では、共通対向電極が前記透明膜よりも前記第二基板に近い側に設けられていることが好ましい。
【００４０】
共通対向電極が透明膜よりも第二基板に遠い側に設けられている構成では、例えば液晶層からなる表示層に直接電圧を印加することができない。そのため、表示層に電圧を印加するためには、例えば、透明膜にコンタクトホール等を形成して電荷を導通させる必要が生じる。さらに、表示層と共通対向電極との間に透明膜が存在することにより、液晶を駆動させるために、より大きな電位が必要になる。
【００４１】
一方、本発明の構成によれば、液晶分子の駆動において、共通対向電極から例えば液晶層からなる表示層に直接電圧を印加することができる。したがって、別途、コンタクトホール等を透明膜に形成する必要がなく、液晶への電圧負荷が簡単なものになる。その結果、低消費電力化が可能となる。
【発明の効果】
【００４２】
本発明のマルチプル視野型の表示装置は、以上のように、上記第一基板における第二基板との対向面側に、視差バリアを覆うように透明膜が設けられていると共に、上記第二基板における第一基板との対向面側にカラーフィルターが設けられているものである。
【００４３】
それゆえ、透明膜とカラーフィルターとが隣り合うことはなく、カラーフィルターの形成時に、高温の熱処理、例えば焼成を施しても、透明膜に熱収縮が起こることがない。したがって、透明膜に膜厚ムラが生じることを防止することができる。また、第一基板と第二基板との間に視差バリアおよびカラーフィルターが配置されているので、カラーフィルターと視差バリアとの光学距離を小さくすることができる。これにより、視野角を増大させることができる。その結果、カラーフィルターと視差バリアとの光学距離を安定させると共に、従来よりも広い視野角を有するマルチプル視野型の表示装置を提供することができるという効果を奏する。
【発明を実施するための最良の形態】
【００４４】
本発明の一実施形態について図１ないし図１０に基づいて説明すると以下の通りである。
【００４５】
なお、本実施形態では、マルチプル視野型の表示装置として、例えば半透過型の液晶表示装置について説明するが、表示装置は必ずしもこれに限らず、例えば、透過型の液晶表示装置、反射型の液晶表示装置、ＥＬ素子を用いた表示装置、ＬＥＤ（Light Emitting Diode）等の発光輝度が可変の素子を用いたディスプレイ、フィールドエミッションディスプレイ（ＦＥＤ）、プラズマディスプレイ等についても適用が可能である。
【００４６】
図１は本実施の形態における液晶表示装置の平面図である。図２は上記液晶表示装置のＡ−Ｂ線の断面図である。図３は上記液晶表示装置の対向基板の断面図である。なお、図１では、上記液晶表示装置の一画素分を示していると共に、図の煩雑さを避けるため、対向基板２２（後述する）について、その記載を省略している。
【００４７】
本実施の形態の液晶表示装置３０は、図２に示すように、互いに対向して配置されたＴＦＴ（Thin Film Transistor）アレイ基板（第二基板）２３と対向基板（第一基板）２２との間に電気光学特性を有するネマチック液晶材料からなる液晶層１２が挟持されてなるＴＦＴ駆動型の半透過型の液晶表示装置である。
【００４８】
ＴＦＴアレイ基板２３は、図１に示すように、例えば無アルカリガラスからなるガラス基板１１上に、互いに平行な複数のゲート線１７と、各ゲート線にそれぞれ交差する複数のソース線１８と、補助容量電極１９と、ゲート線１７及びソース線１８の各交差部分に設けられたＴＦＴ２４と、反射板１３と、カラーフィルター９と、透明電極８と、層間絶縁膜１４とを備えている。
【００４９】
ゲート線１７は、例えばチタン等からなる配線である。また、各ゲート線１７の間を相互に平行に延びるように補助容量電極１９が配設されている。
【００５０】
補助容量電極１９は、ゲート線１７と同じ材料からなり、後述のＴＦＴ２４のドレイン電極５に接続されて補助容量を構成するために設けられている。通常、電荷を保持する画素容量が、液晶容量のみである場合、画像の保持動作が不十分になることや、寄生容量の影響を受けることがある。そのため、補助容量を配置することにより、表示データを保持して、画像の動作をより安定したものとなっている。
【００５１】
さらに、ゲート線１７及び補助容量電極１９の上を覆うように、窒化シリコン等からなるゲート絶縁膜２が設けられている。
【００５２】
ソース線１８は、例えば、チタン等からなる配線であり、ゲート絶縁膜２上に配設されている。
【００５３】
ＴＦＴ２４は、ゲート線１７から側方に突出した突出部からなるゲート電極１と、半導体膜３と、該半導体膜３上にソース線１８から側方に突出した突出部からなるソース電極４と、半導体膜３上においてソース電極４と対向するように設けられたドレイン電極５とから構成されている。さらに、ＴＦＴ２４を覆うように、窒化シリコン等からなる保護膜６が設けられている。
【００５４】
半導体膜３は、ｎ＋アモルファスシリコン層３ａおよび真性アモルファスシリコン層３ｂから構成されている。半導体膜３はゲート電極１上にゲート絶縁膜２を介して設けられている。
【００５５】
反射板１３は、例えば、アルミニウム等から構成され、保護膜６を介してＴＦＴ２４を覆うように設けられている。反射板１３は、ＴＦＴ２４や透明電極８等、何れにも電気的に接続されておらず、フローティング構造となっている。また、反射板１３はＴＦＴ２４へ光が入射することを防止する遮光膜としての機能を有している。
【００５６】
カラーフィルター９は、赤（Ｒ）、緑（Ｇ）及び青（Ｂ）の顔料のうちの何れかが分散された感光性レジスト材料からなる各色のフィルターから構成されている。カラーフィルター９は反射板１３の上を覆い一対のゲート線１７及びソース線１８で囲まれる画素領域のほぼ全面に設けられている。そして、各画素には、赤、緑及び青のうちの１色のフィルターが配設されている。
【００５７】
層間絶縁膜１４は、例えば感光性アクリル樹脂等から構成され、光の透過領域と光の反射領域とに位相差が生じることを防止するためにカラーフィルター９上に設けられている。そのため、層間絶縁膜１４の膜厚だけ、透過領域の液晶層１２の厚さｄｔは、反射領域の液晶層１２の厚さｄｒよりも薄くなる。したがって、透光領域における光の入射から出射までの光路長と反射領域における光の入射から出射までの光路長とを等しくすることができる。
【００５８】
透明電極８は、例えば、ＩＴＯ（Indium Tin Oxide：インジウム錫酸化物）等から構成され、液晶層１２に電圧を印加するものである。透明電極８は、カラーフィルター９および層間絶縁膜１４を覆うように設けられていると共に、カラーフィルター９に形成されたコンタクトホール２１を介してＴＦＴ２４のドレイン電極５に接続されている。
【００５９】
対向基板２２は、図３に示すように、例えば無水アルカリガラスからなるガラス基板２５、視差バリア７、透明膜２６および共通対向電極１０を備えている。ガラス基板２５上に形成された視差バリア７を覆うように透明膜２６が設けられている。
【００６０】
視差バリア７はガラス基板２５上に金属層または樹脂層をパターニングすることによって形成された遮光層、いわゆるブラックマトリックスである。
【００６１】
透明膜２６は、対向基板２２上の視差バリア７におけるカラーフィルター９に対向する側の面（以下、視差バリア面という）と、カラーフィルター９における視差バリア７に対向する側の面（以下、カラーフィルター面という）との光学距離（光路差）ｓ１を調整するためのものである。
【００６２】
共通対向電極１０は、液晶層１２に電圧を印加するものであり、透明膜２６上に設けられている。さらに、共通対向電極１０上には、液晶層１２を所定の方向に配向させるために、配向膜（図示せず）が設けられている。
【００６３】
本実施の形態の液晶表示装置３０では、各画素において、ゲート線１７を介してＴＦＴ２４のゲート電極１に所定電圧が印加されることにより、ＴＦＴ２４がオフ状態からオン状態となる。これにより、ソース線１８を介して、ソース電極４に信号電圧が印加されることになる。そして、ドレイン電極５を介して、透明電極８と共通対向電極１０との間に形成される液晶容量及び補助容量に電荷が流れ込むことになる。したがって、当該液晶容量及び補助容量で電荷を保持することになる。液晶表示装置３０では、当該電荷の量に応じて液晶層１２の液晶分子の配向状態が変わることを利用して、光透過度を調整し、画像表示を行なうようにしている。
【００６４】
上記構成の液晶表示装置３０によれば、ＴＦＴ２４が搭載されたＴＦＴアレイ基板２３上に、カラーフィルター９と透明電極８とが形成されている。これにより、透明電極８とカラーフィルター９とのずれが小さくなる。また、従来必要であった対向基板２２側のカラーフィルター９が不要となり、対向基板２２は基板上に共通対向電極１０が設けられたシンプルなものになる。そのため、対向基板２２は基板上の構成要素によって区切られていなく、貼り合わせマージンをほとんど考慮する必要がない。
【００６５】
さらに、カラーフィルター９の各色のフィルターを光学的に分離するブラックマトリクスが不要となり、高精細で且つ高開口率な液晶表示装置が実現できる。また、反射板１３がＴＦＴ２４上に設けられているので、ＴＦＴ２４への入射光に対する遮光膜として働くことになる。そのため、ＴＦＴ２４周辺の遮光性が保たれ、ＴＦＴ２４のオフ特性の低下を抑制することができる。
【００６６】
また、反射板１３が電気的にどことも接続しないフローティング構造をとることにより、寄生容量が小さくなる。したがって、ＴＦＴ２４の駆動に悪影響を与えることがなく、半透過型の液晶表示装置であってもシンプルなカラーフィルターオンアレイ構造をとることができる。
【００６７】
次に、本実施の形態の液晶表示装置３０のカラーフィルター９、視差バリア７および透明膜２６について図５を参照しながら詳細に説明する。図５は本実施の形態の液晶表示装置３０の光学距離を説明するための断面図である。
【００６８】
カラーフィルター９は、赤（Ｒ）・緑（Ｇ）・青（Ｂ）の各色のフィルター（絵素）が各画素に対応するように各画素上に配置されている。各画素は、互いに異なる第一画像（右表示ウィンドウに表示される画像）及び第二画像（左表示ウィンドウに表示される画像）を生成するように、例えば、ストライプ状の列をなすように配置されている。換言すれば、各画素は第一画像および第二画像を生成するように、第一画像および第二画像用の各画素がストライプ状の列をなすように配置されている。各画素のパターン形状は特に限定されるものではなく、ストライプ形状以外に千鳥形状あるいはデルタ形状のものであっても良い。なお、図５では、例えば、右Ｒは第一画像用の赤（Ｒ）色のフィルターを意味し、左Ｒは第二画像用の赤（Ｒ）色のフィルターを意味する。右Ｇ・右Ｂ・左Ｇ・左Ｂについても第一画像および第二画像に対応する緑（Ｇ）色のフィルター、青（Ｂ）のフィルターを意味する。
【００６９】
視差バリア７は、第一の画素および第二の画素からなる画素列の延在方向に対して平行な方向に、例えばストライプ状の列をなすように配置されている。すなわち、視差バリア７の配置は、いわゆるバリアアパーチャアレイとなっている。但し、視差バリア７のパターン形状は特に限定されるものではなく、ストライプ形状以外に千鳥形状あるいはデルタ形状のものであっても良い。視差バリア７の材質は特に限定されるものではないが、例えば、遮光性が高いクロム、クロム／酸化クロムなどの金属クロム、チタンブラック系からなる金属薄膜をパターニングして形成したり、ポリイミドなどの高分子系、または黒色顔料を分散させたりした感光性樹脂を用いて形成しても良い。
【００７０】
また、視差バリア７の各列は、第一画像用および第二画像用の各画素列に対応するように設けられている。つまり、視差バリア７の各列は、各画素列から出射される光の一部を、各画素列の表示方向以外の方向から観察されないように遮光するように設けられている。
【００７１】
視差バリア７の幅ａ１は、例えば８０〜１１０μｍであり、厚さｄ１は１〜３μｍである。また、視差バリア７同士のスリット幅ｗ１は２０〜５０μｍであることが望ましい。視差バリア７同士のスリット幅ｗ１が５０μｍ以上では、光の透過率が１〜３％大きくなるかわりに、視野角が１０度程度減少してしまう。そのため、複数の観察者により観察することが困難になる。一方、視差バリア７同士のスリット幅ｗ１が２０μｍ未満では、スリット幅が狭まるにつれ透過率が上がるものの、一画素からの光が所定よりも広範囲に広がるため、マルチプルディスプレイとして機能する視野角が減少してしまう。なお、「視野角」とは、画面が正常に見える範囲の角度を意味する。つまり、液晶表示装置の観察者領域において、正面を０度と規定した場合、画像を観察し得る角度を意味する。例えば、ＣＲＴディスプレイでは、視野角は１８０°である。
【００７２】
透明膜２６は、上述のとおり、視差バリア面とカラーフィルター面との光学距離（光路差）ｓ１を調整するために設けられている。
【００７３】
透明膜２６は、例えば、アリル系樹脂およびアクリル系樹脂などのＵＶ硬化性樹脂、ノルボルネン系透明性樹脂、ポリカーボネートなどの樹脂材料からなる高分子樹脂膜である。なお、透明膜２６の材料としては、上記樹脂材料に限定されるものではなく、例えば、紫外線（ＵＶ）硬化処理および熱硬化処理を施しても発色せず、高い透過率を示す透明な物質であり、かつ、対向基板２２を構成するガラスとの密着性が高く、紫外線（ＵＶ）硬化処理および熱硬化処理を施してもハガレが発生しない物質であるならば使用することができる。例えば、透明膜２６の材質として、高分子樹脂膜の代わりに、金属薄膜を用いてもよい。上記金属膜がＩＴＯ、ＩＺＯ等の導電性の材料から形成されている場合、別途、共通対向電極を設ける必要がないので、製造工程を省略することができる。
【００７４】
さらに、透明膜２６は、光学距離ｓ１を調整する機能に加え、接着剤としての機能を有していることが好ましい。
【００７５】
ここで、視野角をα１、対向基板２２の屈折率をｎ１、各画素におけるピクセルピッチをｐ１とすると、以下の式（２）が成立する。
【００７６】
ｓｉｎα１＝ｎ１・ｓｉｎ（ａｒｃｔａｎ（ｐ１／２ｓ１））・・・（２）
これにより、対向基板２２の屈折率ｎ１及びピクセルピッチｐ１を一定とすると、視差バリア面とカラーフィルター面との光学距離ｓ１を小さくすることにより、視野角α１を増大させることが可能であることがわかる。また、透明膜２６の膜厚ｄ２を調整することにより、光学距離ｓ１を変化させることができ、その結果、視野角α１を制御することができる。なお、透明膜２６の膜厚ｄ２は、対向基板２２における対向面からの厚さ（高さ）を意味する。
【００７７】
また、透明膜２６の膜厚ｄ２は、例えば２０μｍ〜１００μｍが好ましい。より好ましくは、３０μｍ〜６０μｍである。膜厚ｄ２は薄い方が、画像表示領域（観察者領域）における視野角α１を例えば０°〜５０°広くすることができる。但し、透明膜２６の膜厚ｄ２が２０μｍ以下では、透過する光量が減少するため、液晶表示装置としての透過率が減少するという問題が生じる。一方、透明膜２６の膜厚ｄ２が１００μｍ以上では、視野角が狭くなり、複数の観察者により観察することが困難になる。
【００７８】
なお、本実施の形態で液晶表示装置において使用し得る視野角α１は、例えば１０°〜８５°が好ましい。より好ましくは３０°である。また、液晶表示装置３０から観察者までの距離γ１は、５００ｍｍ〜１０００ｍｍが好ましい。より好ましくは、７００ｍｍである。距離γ１が５００ｍｍ以下または、距離γ１が１０００ｍｍ以上では、画像を正しく視認することができない。上記の構成により、複数のユーザが、各々、単一の画像（正像）のみを観察することができる。
【００７９】
ここで、本実施の形態の液晶表示装置３０における表示原理について図４を参照しながら説明する。図４は液晶表示装置の表示原理を説明するための断面図であり、（ａ）は視差バリア７による視野角の付与効果を示し、（ｂ）は表示画面の観察領域を示している。図４（ａ）に示すように、ＴＦＴアレイ基板２３側から入射する光線（図４（ａ）において矢印）は、対向基板２２の対向面側に設けられたアパーチャーアレイ方式の視差バリア７によって、所定の入射角度の光線のみが対向基板２２を透過することになる。すなわち、対向基板２２の対向面側に設けられた視差バリア７よって特定の視野角が与えられ、特定の画素からの光線のみが限られた領域に到達することになる。この状態では、ある到達領域では、第一画像および第二画像がそれぞれ列状に観察されることになる。さらに、図４（ｂ）に示すように、ＴＦＴアレイ基板２３および視差バリア７の透過スリットであるアパーチャスリットを透過した光線は、画像表示領域において、交差することになり、結像する領域が二つ存在することになる。これにより、観察位置が異なる複数の観察者に対して異なる画像、すなわち、第一画像および第二画像を表示することができる。つまり、複数の画像を一つの表示装置で観察することができる。
【００８０】
本実施の形態の液晶表示装置３０の各視差バリア７のスリット間、すなわち、アパーチャスリット部には透明膜２６が設けられている。透明膜２６は透過性の樹脂からなるので、従来のパララックス（視差）バリア方式と同様に、例えば、バックライトなどの光源から照射される光を十分に透過させることができる。よって、視差バリア７は、原理的に３Ｄ画像において用いられているアパーチャーアレイ方式と同様の視覚的効果を得ることが可能である。すなわち、右方向観察者と左方向観察者それぞれに異なる画像を表示する場合に、視差バリアによって特定の視野角を与え、上記異なる画像の出射光角度をより狭くすることにより、つまり、人間の両目の間隔（幅）となるように出射光角度を調整することにより、右目用画像および左目用画像を、それぞれ右目および左目にのみ到達させることが可能となる。これにより、空間上の特定の観察領域からであれば、各々の目に対応する像のみが観察され、観察者において３Ｄ画像が認識される。
【００８１】
本実施の形態の液晶表示装置３０は、以上のように、対向基板２２とＴＦＴアレイ基板２３との間に、視差バリア７が配置されている。これにより、特許文献１に記載のマルチプル視野ディスプレイのような、対向基板２２またはＴＦＴアレイ基板２３の互いに対向する面における反対の面側に視差バリア７が配置されている構成に比べて、カラーフィルターと視差バリアとの光学距離を小さくすることができる。したがって、上記式（２）より視野角α１を広くすることができる。その結果、表示品位が向上して、より広範囲に明確に、それぞれ異なる画像を１つの表示装置において観察することが可能となる。
【００８２】
また、本実施の形態の液晶表示装置３０では、視差バリア７とカラーフィルター９との間に透明膜２６が配置されている。これにより、視差バリア７とカラーフィルター９との光学距離ｓ１を調整することができる。すなわち、カラーフィルター９と視差バリア７との光学距離ｓ１は、透明膜２６の膜厚によって設定されている。例えば、視差バリア７とカラーフィルター９との間に、透明膜２６が配置されていない場合、共通対応電極等の厚さを考慮しても、視差バリア７とカラーフィルター９との光学距離は、例えば、１０μｍ程度となる。このような光学距離では、理想的な表示品位を示すことができない。
【００８３】
さらに、透明膜２６とカラーフィルター９との間に、液晶層１２が配置されている。これにより、特許文献２に記載の従来の構成に比べて、透明膜２６とカラーフィルター９とが接していないため、カラーフィルター９を形成する時に必要とされる高温の熱処理を施しても、透明膜２６に熱収縮が生じるおそれがなく、つまり該厚さが不均一になるおそれがない。したがって、光学距離ｓ１を一定にすることができる。その結果、複数の画像が表示されるビューポイントにおける最終的に得られる画像の品質が低下することを防止することができる。
【００８４】
また、本実施の形態の液晶表示装置３０では、共通対向電極１０が透明膜２６よりも前ＴＦＴアレイ基板２３に近い側に設けられている。通常、共通対向電極が透明膜よりも第二基板に遠い側に設けられている構成では、例えば液晶層に直接電圧を印加することができない。そのため、液晶層に電圧を印加するためには、例えば、透明膜にコンタクトホール等を形成して電荷を導通させる必要が生じる。さらに、液晶層と共通対向電極との間に透明膜が存在することにより、液晶を駆動させるために、より大きな電位が必要になる。
【００８５】
一方、本実施の形態の液晶表示装置３０の構成によれば、液晶分子の駆動において、共通対向電極１０から液晶層１２に直接電圧を印加することができる。したがって、別途、コンタクトホール等を透明膜２６に形成する必要がなく、液晶への電圧負荷が簡単なものになる。その結果、低消費電力化が可能となる。
【００８６】
次に、本実施の形態の液晶表示装置の製造方法を説明する。
【００８７】
＜ＴＦＴアレイ基板作製工程＞
ＴＦＴアレイ基板２３は公知の製造方法を用いて製造すればよく、例えば、以下の製造方法が挙げられる。
【００８８】
まず、無アルカリガラスからなるガラス基板１１上にチタン等からなる金属膜をスパッタリング法により成膜した後、フォトリソグラフィー技術（Photo Engraving Process、以下、「ＰＥＰ技術」と称する）によりパターン形成して、ゲート線１７、ゲート電極１及び補助容量電極１９を形成する。
【００８９】
次いで、ゲート線１７、ゲート電極１及び補助容量電極１９上に、ＣＶＤ（Chemical Vapor Deposition）法により窒化シリコン等を成膜し、ゲート絶縁膜２を形成する。
【００９０】
次いで、ゲート絶縁膜２上に、ＣＶＤ法により真性アモルファスシリコン膜と、リンがドープされたｎ＋アモルファスシリコン膜とを連続して成膜し、その後、ＰＥＰ技術により島状にパターン形成して、真性アモルファスシリコン層３ｂとｎ＋アモルファスシリコン層３ａからなる半導体膜３を形成する。
【００９１】
次いで、半導体膜３が形成されたゲート絶縁膜２上に、チタン等からなる金属膜をスパッタリング法により成膜し、その後、ＰＥＰ技術によりパターン形成して、ソース線１８、ソース電極４及びドレイン電極５を形成する。
【００９２】
次いで、ソース電極４及びドレイン電極５をマスクとしてｎ＋アモルファスシリコン層３ａをエッチング除去することにより、チャネル部を形成する。
【００９３】
次いで、ソース電極４及びドレイン電極５上に、ＣＶＤ法を用いて窒化シリコン等を成膜し、保護膜６を形成する。
【００９４】
次いで、保護膜６上にアルミニウム等からなる金属膜をスパッタリング法により成膜した後、ＰＥＰ技術により、ＴＦＴ２４と重なるようにパターン形成して、反射板１３を形成する。
【００９５】
次いで、保護膜６及び反射板１３上に、赤、緑及び青の顔料のうちの何れかが分散された感光性レジスト材料等を塗布し、その後、ＰＥＰ技術によりパターン形成して、選択した色のフィルターを形成する。さらに、他の２色についても同様な工程を繰り返して、各画素に１色のフィルターが配設したカラーフィルター９を形成する。
【００９６】
次いで、カラーフィルター９及び保護膜６の積層膜のドレイン電極５上に位置する部分にＰＥＰ技術を用いてコンタクトホール２１を形成する。
【００９７】
次いで、カラーフィルター９上に、ＩＴＯ等からなる透明導電膜をスパッタリング法により成膜した後、ＰＥＰ技術によりパターン形成して、透明電極８を形成する。
【００９８】
上述のようにしてＴＦＴアレイ基板２３が完成する。
【００９９】
＜対向基板作製工程＞
先ずは、図６（ａ）に示すように、洗浄されたガラス基板２５を準備する。
【０１００】
次に、図６（ｂ）に示すように、ガラス基板２５上に、遮光性が高いクロム、クロム／酸化クロムなどの金属クロム、チタンブラック系、またはポリイミドなどの高分子系のブラックマトリックス（ＢＭ）材料を成膜する。次に、成膜されたＢＭ材料上に、フォトレジストを塗布した後、パターン露光・現像することにより、ＢＭ材料を所望のパターンにエッチングする。その後、ＢＭ材料上のフォトレジストを剥離する。これにより、所望のスリット幅ｂ１を有するＢＭ、すなわち視差バリア７を形成することができる。
【０１０１】
次に、図６（ｃ）に示すように、視差バリア７が形成されたガラス基板２５を洗浄した後、視差バリア７を覆うようにガラス基板２５上に感光性アクリル樹脂を、スパッタリング法、あるいは塗布法を用いて成膜する。その後、加熱処理または紫外線照射処理などを施して感光性アクリル樹脂膜からなる薄膜を硬化させ、透明膜２６を形成する。このとき、透明膜２６の膜厚ｄ２は、上記式（２）を用いて算出されるカラーフィルター面（ピクセル）と視差バリア面（視差光学機器面）との間の光学距離ｓ１を満足するように設定する。これにより、光学距離ｓ１を所望の距離に聴視することが可能となる。
【０１０２】
次に、図６（ｄ）に示すように、スパッタリング法を用いて、透明膜２６上に、例えばＩＴＯ等からなる導電性薄膜を成膜する。これにより、透明膜２６上に、共通対向電極１０を形成することができる。その後、共通対向電極１０上に配向膜（図示しない）を形成する。
【０１０３】
上記の製造方法により、図３に示す対向基板２２を製造することができる。
【０１０４】
なお、図６（ｃ）において、高分子樹脂膜からなる透明膜２６の代わりに、スパッタリング法を用いて、視差バリア７を覆うようにガラス基板２５上に金属薄膜からなる透明膜を形成しても良い。この場合、ＩＴＯ、ＩＺＯなどの導電性を有する材料を用いて金属薄膜を形成すれば、別途、共通対向電極を設ける必要はなく、図６（ｄ）に示す工程を省略することができる。一方、非導電性の材料からなる金属薄膜の場合、高分子樹脂膜と同様に、図６（ｄ）に示す工程を行なえば良い。なお、金属薄膜の膜厚は、高分子樹脂膜からなる透明膜２６と同様に、光学距離ｓ１を満足するように設定すれば良い。
【０１０５】
＜液晶表示装置作製工程＞
上記＜ＴＦＴアレイ基板作製工程＞の項、および上記＜対向基板作製工程＞の項に記載の製造方法によって製造された、ＴＦＴアレイ基板２３及び対向基板２２を用いて、液晶表示装置３０を製造する方法について説明する。
【０１０６】
先ず、ＴＦＴアレイ基板２３及び対向基板２２上に、フレキソ印刷により、例えばポリイミド樹脂等を塗布した後、両基板を焼成して成膜する。その後、ポリイミド樹脂膜の表面を、ラビング法を用いて一定方向に擦って配向処理を行なうことにより配向膜を形成する。
【０１０７】
次いで、ＴＦＴアレイ基板２３及び対向基板２２うちの一方に、スクリーン印刷により、例えば熱硬化性エポキシ樹脂等からなるシール材料を液晶注入口の部分を欠いた枠状パターンとなるように塗布する。次に、他方の基板に、例えばポリスチレン系等のポリマーからなる球状のプラスチックビーズを散布する（図示せず）。なお、上記プラスチックビーズは、液晶層１２の厚さに相当する直径を有し、液晶層１２の厚さムラを抑制するスペーサーとなる。
【０１０８】
次いで、ＴＦＴアレイ基板２３と対向基板２２とを貼り合わせ、シール材料を硬化させ、空セルを形成する。ここにおいて、ＴＦＴアレイ基板２３上にカラーフィルター９と透明電極８とが形成されているため、カラーフィルター９と透明電極８との位置ずれが小さく、また、従来必要であった対向基板２２側のカラーフィルター９が不要となり対向基板２２は基板上に共通対向電極１０が設けられたシンプルなものになる。そのため、ＴＦＴアレイ基板２３と対向基板２２とを貼り合わせる際にアライメントずれが発生しても、そのことによってカラーフィルター９と透明電極８との位置ずれが発生することがない。そのため、この液晶表示装置３０は、基板どうしの貼り合わせを高精度に行なう必要がなく、生産性に優れている。
【０１０９】
次いで、空セルのＴＦＴアレイ基板２３及び対向基板２２の両基板間に、減圧法により液晶材料を注入して液晶層１２を形成する。次に、液晶注入口にＵＶ硬化樹脂を塗布した後、ＵＶ照射処理を施しＵＶ硬化樹脂を硬化させて注入口を封止する。
【０１１０】
以上のようにして、本実施の形態の液晶表示装置３０を製造することができる。
【０１１１】
次に、図７に上記構成の液晶表示装置の対向基板の変形例を示す。
【０１１２】
通常、ガラス基板上に、カラーフィルターを形成する場合、高温の熱処理（焼成）が行われる。この処理を高分子樹脂等からなる膜上に行えば、樹脂膜は熱収縮を引き起こしたり、膜ハガレを発生したりするおそれがあり、結果として、カラーフィルターと視差バリアとの光学距離が変化するおそれがある。しかしながら、耐熱性をもった物質で作製した膜上にカラーフィルター３６を作製すれば膜の熱収縮や膜ハガレが発生するおそれがない。したがって、液晶表示装置の表示品質が低下することを抑制することができる。
【０１１３】
以上のように、本実施の形態の液晶表示装置３０では、例えばカラーフィルターを定着させるための熱処理に対して耐性をもつ金属からなる透明膜をカラーフィルターと視差バリアの間に設けることで、上記カラーフィルターと上記視差バリアとの光学距離に変化を与えない構成であってもよい。
【０１１４】
次に、上記の構成の対向基板は以下の製造方法により製造することができる。図８及び図９は上記対向基板の変形例の製造工程を示す断面図である。
【０１１５】
図８（ａ）（ｂ）に示すように、上記＜対向基板作製工程＞の項において説明した、図６（ａ）（ｂ）の工程と同様にして、ガラス基板２５上に視差バリア７を形成する。
【０１１６】
次に、図８（ｃ）に示すように、視差バリア７が形成されたガラス基板２５を洗浄した後、視差バリア７を覆うようにガラス基板２５上に金属膜をスパッタリング法によって成膜して透明膜３３を形成する。ここで、透明膜３３は、１５０℃〜２００℃において熱収縮を起こし得ない耐熱性を有する金属膜から形成されることが好ましい。
【０１１７】
次に、図８（ｄ）に示すように、透明膜３３上に、遮光性が高いクロム、クロム／酸化クロムなどの金属クロム、チタンブラック系、またはポリイミドなどの高分子系のブラックマトリックス（ＢＭ）材料を成膜する。次に、成膜されたＢＭ材料上に、フォトレジストを塗布した後、パターン露光・現像することにより、ＢＭ材料を所望のパターンにエッチングする。その後、ＢＭ材料上のフォトレジストを剥離する。これにより、所望のスリット幅を有するブラックマトリックス３５が形成される。
【０１１８】
次に、図９（ａ）に示すように、基板全面に、例えば、赤（Ｒ）色の顔料が分散された感光性着色フォトレジスト３４を塗布する。
【０１１９】
次に、図９（ｂ）に示すように、感光性着色フォトレジスト３４にマスク３８を被せて紫外線照射処理を行なう。
【０１２０】
次に、図９（ｃ）に示すように、感光性着色フォトレジスト３４に、現像液により現像を行なう。これにより任意の箇所にのみ顔料分散により着色されたレジストが残ることになる。引き続き、全面露光および焼成を行なう。これにより、赤色のカラーフィルター３６が形成される。
【０１２１】
次に、図９（ｄ）に示すように、上記図９（ａ）〜（ｃ）に示す工程を、緑（Ｇ）色・青（Ｂ）色についても行なう。これにより、各色のカラーフィルター３６を形成することができる。
【０１２２】
次に、図９（ｅ）に示すように、赤（Ｒ）・緑（Ｇ）・青（Ｂ）の各色のカラーフィルター３６上に、例えば、アクリル樹脂やエポキシ樹脂などからなるオーバーコート膜３７を成膜する。なお、オーバーコート膜３７は、着色パターン保護膜としての機能を有しており、カラーフィルター３６の平坦性を向上することができる。さらに、必要に応じて、オーバーコート膜上に共通対向電極を形成する。
【０１２３】
以上の製造方法により、図７に示すカラーフィルターが設けられた対向基板３１を製造することができる。なお、上記製造方法は、顔料分散法により上記対向基板上にカラーフィルターを形成する方法である。しかしながら、上記製造方法は、顔料分散法に限定されるものではなく、例えば、染色法、印刷法、電着法の何れの方法を用いても上記対向基板上にカラーフィルターを形成することができる。
【０１２４】
このとき、ＴＦＴアレイ基板として、ａ−Ｓｉ型のＴＦＴアレイ基板を用いた場合、図７に示す対向基板３１と張り合わせた後、液晶層１２を注入することにより、図１０に示す液晶表示装置を製造することができる。
【０１２５】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１２６】
本発明は、複数の表示方向に対してそれぞれ異なる画像を表示可能なマルチプル視野型の表示装置に適用できる。具体的には、表示装置として、例えば、アクティブマトリクス型の液晶表示装置に用いることができると共に、電気泳動型ディスプレイ、ツイストボール型ディスプレイ、微細なプリズムフィルムを用いた反射型ディスプレイ、デジタルミラーデバイス等の光変調素子を用いたディスプレイの他、発光素子として、有機ＥＬ発光素子、無機ＥＬ発光素子、ＬＥＤ（Ｌｉｇｈｔ  Ｅｍｉｔｔｉｎｇ  Ｄｉｏｄｅ）等の発光輝度が可変の素子を用いたディスプレイ、フィールドエミッションディスプレイ（ＦＥＤ）、プラズマディスプレイにも利用することができる。
【図面の簡単な説明】
【０１２７】
【図１】本発明における液晶表示装置の実施の一形態を示す平面図である。
【図２】上記液晶表示装置のＡ−Ｂ線の断面図である。
【図３】上記液晶表示装置の対向基板の断面図である。
【図４】上記液晶表示装置の表示原理を説明するための断面図である。
【図５】上記液晶表示装置の光学距離を説明するための断面図である。
【図６】上記液晶表示装置の対向基板の製造工程を示す断面図である。
【図７】上記液晶表示装置の対向基板の変形例を示す断面図である。
【図８】上記液晶表示装置の対向基板の変形例の製造工程を示す断面図である。
【図９】上記液晶表示装置の対向基板の変形例の製造工程を示す断面図である。
【図１０】上記液晶表示装置の変形例を示す断面図である。
【図１１】従来のマルチプルディスプレイの断面図である。
【図１２】従来の他のマルチプルディスプレイの断面図である。
【符号の説明】
【０１２８】
７    視差バリア
９    カラーフィルター
１０    共通対向電極
１１    ガラス基板
１２    液晶層
２２    対向基板（第一基板）
２３    ＴＦＴアレイ基板（第二基板）
２４    薄膜トランジスタ（ＴＦＴ）
２５    ガラス基板
２６    透明膜
３０    液晶表示装置（マルチプル視野型の表示装置）
【図１】
2007052041.tif 000003
【図２】
2007052041.tif 000004
【図３】
2007052041.tif 000005
【図４】
2007052041.tif 000006
【図５】
2007052041.tif 000007
【図６】
2007052041.tif 000008
【図７】
2007052041.tif 000009
【図８】
2007052041.tif 000010
【図９】
2007052041.tif 000011
【図１０】
2007052041.tif 000012
【図１１】
2007052041.tif 000013
【図１２】
2007052041.tif 000014